(57)【要約】【課題】容器体内部に酸素ガスを簡単に充填することができたり、容器体を雑に扱ったとしても容器体内部の酸素ガスが外部に漏れることのない酸素供給装置を提供する。【解決手段】酸素供給装置５は、内部に酸素ガスが充填された容器体１０と、容器体１０に着脱自在に装着され、容器体１０の内部の酸素ガスを外部に供給するガス供給体２０とから構成される。容器体１０は、内部に酸素ガスが充填される容器本体１１と、容器本体１１の上端開口部１１ａを閉塞するように設けられる逆止弁１２とを備える。ガス供給体２０は、酸素ガスが流通するガス流路２６ａ，２３ｂ，２１ｇ，２１ｂと、容器本体１０に装着されたときに逆止弁１２と係合してこれを開く開栓部２６ｂと、ガス流路２６ａ，２３ｂ，２１ｇ，２１ｂ内を流通する酸素ガスの流量を制御する流量制御弁２５と、流量制御弁２５によって制御される流量を設定する流量設定部２９とを備える。【選択図】図１
2008157363.tif 000002
【特許請求の範囲】
【請求項１】
内部に酸素ガスが充填された容器体と、前記容器体に着脱自在に装着され、前記容器体内部の酸素ガスを外部に供給するガス供給体とから構成された酸素供給装置であって、
前記容器体は、開口部を上端に有するとともに、前記ガス供給体が着脱自在に装着される装着部を上部に有し、内部に前記酸素ガスが充填される容器本体と、前記容器本体の上端開口部を閉塞するように設けられる逆止弁とを備え、
前記逆止弁は、前記容器本体に前記ガス供給体が装着されていないときには、前記容器本体の外部側から内部側に向けてのみ前記酸素ガスを流通可能とし、前記容器本体に前記ガス供給体が装着されているときには、このガス供給体により開かれた状態となるように構成され、
前記ガス供給体は、前記容器本体の装着部に着脱自在に装着される装着部と、前記酸素ガスが流通するガス流路と、前記容器本体に装着されたときに前記逆止弁と係合してこれを開き、前記容器本体の内部と前記ガス流路の一端側とを連通させる開栓部と、前記ガス流路の他端側に接続され、前記酸素ガスを外部に供給する供給口と、前記ガス流路の一端側と他端側との間に設けられ、このガス流路の一端側から他端側に向けて流通する酸素ガスの流量を制御する流量制御弁と、前記流量制御弁によって制御される流量を設定する流量設定部とを備えてなることを特徴とする酸素供給装置。
【請求項２】
前記ガス供給体は、上下が開口した円筒状に形成され、外周面に前記供給口が開口した外部部材を更に備え、この外部部材の内部に前記装着部，ガス流路及び開栓部を有するように構成されるとともに、この外部部材の内部に前記流量制御弁が配置されるように構成され、
前記外部部材は、その上部外周面に螺旋溝が形成され、
前記ガス流路は、前記外部部材内部の下部側から前記供給口に通じるように形成され、
前記流量制御弁は、上下方向に移動自在に設けられる弁体を備え、この弁体が上下方向に移動することで前記ガス流路を開閉するように構成され、
前記流量設定部は、前記外部部材の螺旋溝に螺合し、この外部部材へのねじ込み量に応じて上下方向の位置が変化するように構成された設定部材を備え、この設定部材の上下方向における位置と連動させて前記弁体の上下方向における位置を変化させるように構成されてなることを特徴とする請求項１記載の酸素供給装置。
【請求項３】
前記流量設定部は、前記設定部材をその回転方向の複数の位置に位置決めする位置決め機構を更に備えてなることを特徴とする請求項２記載の酸素供給装置。
【発明の詳細な説明】
【技術分野】
【０００１】
本発明は、内部に酸素ガスが充填された容器体と、前記容器体に着脱自在に装着され、前記容器体内部の酸素ガスを外部に供給するガス供給体とから構成された酸素供給装置に関する。
【背景技術】
【０００２】
近年では、日常生活においても、例えば、酸素吸入器などを用いて酸素を摂取することが行われている。これは、酸素を摂取すると、運動時に生成される乳酸の分解を促進して疲労回復を図る、運動直後の息切れを防止する、お酒に含まれるアルコールの分解を促進して二日酔いを防止する、タバコの煙に含まれる一酸化炭素により身体各部への酸素供給能力が低下するのを防止する、新陳代謝を高めて老廃物の排出を促進する、といった効果のあることが確認されているからである。
【０００３】
前記酸素吸入器は、適宜酸素供給装置に酸素マスクが取り付けられたもので、使用者は、この酸素供給装置によって酸素マスク内に供給された酸素ガスを吸入する。
【０００４】
そして、このような酸素吸入器の酸素供給装置に適用可能な酸素供給装置として、従来、例えば、実開昭６３−１３３２３１号公報に開示されたものがあり、この酸素供給装置は、内部に酸素ガスが充填された容器体と、容器体に着脱自在に装着され、容器体内部の酸素ガスを外部に供給するガス供給体とから構成される。
【０００５】
前記容器体は、上端に形成された開口部と、この上端開口部を封止する封止板と、上部外周面に形成されたねじ溝とを備える。前記ガス供給体は、容器体のねじ溝と螺合する装着部と、酸素ガスが一端側から他端側に向けて流通するガス流路と、ガス流路の他端側に接続され、酸素ガスを外部に供給する供給口と、ガス流路を開閉する部材であって、ガス流路内に配置されて封止板に穴を開けるための針を備えた開閉ハンドルと、ガス流路の一端側と他端側との間に設けられ、このガス流路内を流通する酸素ガスの流量が一定となるように制御する流量制御部とを備える。
【０００６】
この酸素供給装置によれば、まず、ガス供給体の装着部に容器体の上部を螺合させた後、開閉ハンドルを操作して針により容器体の封止板に穴を開ける。これにより、容器体の内部とガス流路の一端側とが連通した状態となる。次に、開閉ハンドルを操作してガス流路を開くと、容器体内部の酸素ガスがガス流路内を一端側から他端側に向けて流通して供給口から外部に供給される。尚、供給口から供給される酸素ガスは、ガス流路内を流通する酸素ガスの流量が流量制御部により制御されることによって一定に維持される。また、当該酸素供給装置の使用に当たっては、容器体内部に充填された酸素ガスを使い切ると、ガス供給体に装着された容器体が未使用のものに適宜交換される。
【０００７】
【特許文献１】実開昭６３−１３３２３１号公報
【発明の開示】
【発明が解決しようとする課題】
【０００８】
しかしながら、上記従来の酸素供給装置では、その容器体の上端開口部が封止板によって封止されるように構成されているため、簡単に酸素ガスを充填することができないという問題や、酸素ガスを充填するために相応の設備が必要であるという問題があった。また、容器体は、使い捨てに構成されるか、再使用可能に構成されるが、再使用する場合、使用後の容器体をそのまま再使用することはできず、封止板を取り替えなければならないため、酸素ガスの再充填時においても同様の問題を生じる。また、更に、通常、酸素供給装置の使用に当たっては、通常、予備の容器体を用意しておくが、これを雑に扱うと、封止板の強度が低いために当該封止板が損傷して内部の酸素ガスが外部に漏れるという問題もある。
【０００９】
本発明は、以上の実情に鑑みなされたものであって、容器体内部に酸素ガスを簡単に充填することができたり、容器体を雑に扱ったとしても容器体内部の酸素ガスが外部に漏れることのない酸素供給装置の提供をその目的とする。
【課題を解決するための手段】
【００１０】
上記目的を達成するための本発明は、
内部に酸素ガスが充填された容器体と、前記容器体に着脱自在に装着され、前記容器体内部の酸素ガスを外部に供給するガス供給体とから構成された酸素供給装置であって、
前記容器体は、開口部を上端に有するとともに、前記ガス供給体が着脱自在に装着される装着部を上部に有し、内部に前記酸素ガスが充填される容器本体と、前記容器本体の上端開口部を閉塞するように設けられる逆止弁とを備え、
前記逆止弁は、前記容器本体に前記ガス供給体が装着されていないときには、前記容器本体の外部側から内部側に向けてのみ前記酸素ガスを流通可能とし、前記容器本体に前記ガス供給体が装着されているときには、このガス供給体により開かれた状態となるように構成され、
前記ガス供給体は、前記容器本体の装着部に着脱自在に装着される装着部と、前記酸素ガスが流通するガス流路と、前記容器本体に装着されたときに前記逆止弁と係合してこれを開き、前記容器本体の内部と前記ガス流路の一端側とを連通させる開栓部と、前記ガス流路の他端側に接続され、前記酸素ガスを外部に供給する供給口と、前記ガス流路の一端側と他端側との間に設けられ、このガス流路の一端側から他端側に向けて流通する酸素ガスの流量を制御する流量制御弁と、前記流量制御弁によって制御される流量を設定する流量設定部とを備えてなることを特徴とする酸素供給装置に係る。
【００１１】
この発明によれば、まず、ガス供給体に未使用の容器体を取り付けるべく、当該容器体の容器本体の装着部をガス供給体の装着部に装着する。これにより、容器本体の上端開口部を閉塞する逆止弁にガス供給体の開栓部が係合してこの逆止弁が開かれ、容器本体の内部とガス供給体のガス流路の一端側とが連通した状態となる。
【００１２】
ついで、ガス供給体の流量設定部を操作し、流量制御弁によるガス流路内の制御流量を設定して、例えば、ガス流路内の流量をゼロの状態から所望の流量にすると、容器本体内部の酸素ガスは、この流量制御弁により流量制御されつつガス流路の一端側から他端側に向けて流通し、供給口から外部に供給される。
【００１３】
そして、当該酸素供給装置を所定時間使用し、酸素ガスの供給を停止するときには、ガス供給体の流量設定部を操作し、流量制御弁によるガス流路内の制御流量を設定して、例えば、ガス流路内の流量を所望の流量からゼロの状態にすると、酸素ガスが供給口から外部に供給されなくなる。
【００１４】
尚、容器本体内部に充填された酸素ガスを使い切ると、ガス供給体に装着された容器体を未使用のものと交換して当該酸素供給装置を使用する。また、使用後の容器体は、環境保護やコストの観点などから、当該酸素供給装置の供給者側や使用者側で容器本体内部に酸素ガスを再充填し、再使用することが望ましい。
【００１５】
このように、本発明に係る酸素供給装置によれば、容器本体の上端開口部を逆止弁によって閉塞するようにしたので、大掛かりな設備などが無くても容器本体内部に酸素ガスを簡単に充填（再充填を含む）することができる。また、容器体を雑に扱ったとしても逆止弁が損傷することはなく、容器本体内部の酸素ガスが外部に漏れることはない。
【００１６】
尚、前記ガス供給体は、上下が開口した円筒状に形成され、外周面に前記供給口が開口した外部部材を更に備え、この外部部材の内部に前記装着部，ガス流路及び開栓部を有するように構成されるとともに、この外部部材の内部に前記流量制御弁が配置されるように構成され、前記外部部材は、その上部外周面に螺旋溝が形成され、前記ガス流路は、前記外部部材内部の下部側から前記供給口に通じるように形成され、前記流量制御弁は、上下方向に移動自在に設けられる弁体を備え、この弁体が上下方向に移動することで前記ガス流路を開閉するように構成され、前記流量設定部は、前記外部部材の螺旋溝に螺合し、この外部部材へのねじ込み量に応じて上下方向の位置が変化するように構成された設定部材を備え、この設定部材の上下方向における位置と連動させて前記弁体の上下方向における位置を変化させるように構成されていても良い。ここで、前記装着部，ガス流路及び開栓部は、外部部材と一体的に構成されていても、別部材から構成されていても良い。
【００１７】
このようにすれば、設定部材を回転させてねじ込み量を変化させ、当該設定部材の上下方向における位置を変化させることで、この設定部材の上下方向における位置と連動させて弁体の上下方向における位置を変化させ、ガス流路の開度を変化させることができ、ガス流路の開度、即ち、流量制御弁によって流量制御されつつガス流路内を流通する酸素ガスの流量、更に言い換えれば、供給口から外部に供給される酸素ガスの流量を簡単に調整することができる。尚、容器本体内部の酸素ガスは、外部部材内部の下部側からガス流路内に流入して供給口から外部に供給される。
【００１８】
また、前記流量設定部は、前記設定部材をその回転方向の複数の位置に位置決めする位置決め機構を更に備えていても良い。このようにすれば、設定部材が位置決め機構により位置決めされた位置に応じて弁体の上下方向における位置が決まっており、上記と同様に、供給口から外部に供給される酸素ガスの流量を簡単に切り換えることができる。
【発明の効果】
【００１９】
以上のように、本発明に係る酸素供給装置によれば、容器体内部に酸素ガスを簡単に充填したり、容器体を雑に扱ったとしても容器体内部の酸素ガスが外部に漏れないようにしたり、供給口から外部に供給される酸素ガスの流量を簡単に調整することができる。
【発明を実施するための最良の形態】
【００２０】
以下、本発明の具体的な実施形態について、添付図面に基づき説明する。尚、図１は、本発明の一実施形態に係る酸素吸入器の概略構成を示した断面図である。また、図２は、図１における矢示Ａ方向の側面図であり、図３は、図１における矢示Ｂ方向の平面図であり、図４は、図１における矢示Ｃ−Ｃ方向の断面図である。また、図５は、本実施形態に係る容器体の概略構成を示した断面図であり、図６は、本実施形態に係る流量制御弁が開いた状態を示す断面図である。
【００２１】
図１乃至図６に示すように、本例の酸素吸入器１は、内部に酸素ガスが充填された容器体１０と、前記容器体１０に着脱自在に装着され、この容器体１０の内部の酸素ガスを外部に供給するガス供給体２０とを備えた酸素供給装置５と、前記酸素供給装置５のガス供給体２０に取り付けられ、このガス供給体２０から内部に酸素ガスが供給される酸素マスク６とから構成される。
【００２２】
前記容器体１０は、上端に開口部１１ａを有するとともに、上端部外周面にねじ溝１１ｂを有し、内部に酸素ガスが充填される容器本体１１と、容器本体１１の上端開口部１１ａを閉塞するように設けられた逆止弁１２と、上下が開口した円筒状に形成されるとともに、外周面及び内周面にねじ溝１８ａ，１８ｂが形成され、内周部が容器本体１１の上端外周部に螺合した円筒部材１８と、上下が開口した円筒状に形成されるとともに、外周面及び内周面にねじ溝１９ａ，１９ｂが形成され、内周部が円筒部材１８の外周部に螺合した装着部材１９とを備える。尚、前記容器本体１１は、縦長に形成されるとともに、上端部が小径に形成されている。
【００２３】
前記逆止弁１２は、上下に貫通したガス流路１３ａを有する円柱状の弁箱１３と、弁箱１３のガス流路１３ａ内に収納されたボール１４及びばね体１５とから構成される。前記ガス流路１３ａは、上下方向の中央が上部及び下部よりも大径に形成されており、この大径部分の上側に前記ボール１４が上下方向に移動自在に配置され、下側に前記ばね体１５が配置される。また、ばね体１５は、ボール１４を上方に付勢するように構成される。
【００２４】
この逆止弁１２では、通常、ばね体１５によりボール１４が上方に付勢されて、このボール１４によりガス流路１３ａが閉じられた状態となっているが（図５参照）、ボール１４がばね体１５の付勢力に抗して下方に移動すると、ガス流路１３ａが開いた状態となる（図１及び図６参照）。
【００２５】
尚、弁箱１３の上部には、ガスケット１６を介して容器本体１１の上端に支持される鍔部１３ｂが形成されている。また、弁箱１３の上面には、ガス流路１３ａの上端開口部を囲むようにＯリング１７が配設されている。
【００２６】
前記装着部材１９は、上部側内周面の内径が小さく、下部側内周面の内径が大きく形成されており、下部側内周面に前記ねじ溝１９ｂが形成される。また、装着部材１９は、上部側内周面と下部側内周面との間の段付き部に形成された、軸線と直交する平面によって、逆止弁１２の弁箱１３を下側に向けて押さえる役目も果たす。尚、前記ガス供給体２０は、この装着部材１９を介して間接的に容器本体１１に装着されるようになっている。
【００２７】
前記ガス供給体２０は、上下が開口した円筒状に形成され、外周面から外方に突出するように形成されたノズル部２１ａを有する外部部材２１と、外部部材２１の内部に収納された状態で外部部材２１の下部側の内周部に設けられる、上下が開口した円筒状の部材からなり、内周面にねじ溝２２ａが形成されて下側内周部が装着部材１９の外周部に螺合可能に構成された装着部材２２と、上下が開口した円筒状に形成され、外部部材２１及び装着部材２２の内周部に設けられる円筒部材２３と、円筒部材２３の内周部に設けられ、外部に供給される酸素ガスの流量を制御する流量制御弁２５と、外部部材２１の上部に設けられ、流量制御弁２５によって制御される流量を設定する流量設定部２９とを備える。
【００２８】
前記外部部材２１は、その内周面及びノズル部２１ａの先端面に開口したガス流路２１ｂを備えており、このノズル部２１ａの先端開口部２１ｃが酸素ガスを外部に供給するための供給口として機能する。また、外部部材２１の上部外周面には螺旋溝２１ｄが形成され、外部部材２１の上端面には収容穴２１ｅが開口している。また、外部部材２１の内周部の一部（符号２１ｇ参照）はガス流路として機能する。
【００２９】
前記装着部材２２は、上部側内周面の内径が小さく、下部側内周面の内径が大きく形成されており、下部側内周面に前記ねじ溝２２ａが形成される。また、装着部材２２は、上部側内周面と下部側内周面との間の段付き部に形成された、軸線と直交する平面が、装着部材１９の上端面と当接するようになっている。
【００３０】
前記円筒部材２３は、上側内周部が外部部材２１の内周部に、下側内周部が装着部材２２の上側内周部に設けられる。また、円筒部材２３の下端面には、凹部２３ａが形成され、この凹部２３ａ内には、前記流量制御弁２５の弁箱２６の開栓部２６ｂを囲むように環状のシール部材２４が配設されている。また、円筒部材２３の内周部の一部（符号２３ｂ参照）はガス流路として機能する。
【００３１】
前記流量制御弁２５は、上下に貫通したガス流路２６ａを有する円柱状の弁箱２６と、弁箱２６のガス流路２６ａ内に収納された弁体２７及びばね体２８とから構成される。
【００３２】
前記弁箱２６は、特に符号は付さないが、上下に配置された２つの部材から構成されており、下側の部材には、下端面から下方に突出し、前記ガス流路２６ａの一部を備えた開栓部２６ｂが形成されている。この開栓部２６ｂは、装着部材２２が装着部材１９の外周部に螺合されたときに装着部材１９内及び弁箱１３のガス流路１３ａ内に挿入されて逆止弁１２のボール１４に当接し、これをばね体１５の付勢力に抗して下方に移動させてガス流路１３ａを開いた状態とし、このガス流路１３ａとガス流路２６ａとを連通させるためのものである。また、前記ガス流路２６ａは、上下方向の中央が上部及び下部よりも大径に形成されており、この大径部の下端部分は先細のテーパ状に形成されている。
【００３３】
前記弁体２７は、下端部が円錐状に形成され、上面と下面との間に大径部が形成された円柱状の部材からなり、ガス流路２６ａの中央部に上下方向に移動自在に配置されている。また、弁体２７の大径部には、図示しない複数の溝や貫通孔が上下方向に形成されており、この溝や貫通孔によって酸素ガスが弁体２７の下側から上側に通り抜けるようになっている。また、弁体２７の上端部は、円筒部材２３の上端面よりも上方に突出するように形成されている。
【００３４】
前記ばね体２８は、ガス流路２６ａの中央部の下端側と弁体２７の大径部との間に配置されており、弁体２７を上方に付勢するように構成される。尚、弁体２７は、ガス流路２６ａの上部と中央部との間に形成された段付き部によって上方への移動が規制されるようになっている。
【００３５】
この流量制御弁２５では、弁体２７がばね体２８の付勢力に抗して下方に移動し、ガス流路２６ａが閉じられると（図１参照）、ガス流路２６ａ内を流通する酸素ガスの流量がゼロとなり、弁体２７がばね体２８により付勢されて上方に移動すると（図６参照）、ガス流路２６ａが開いて、その開度に応じた流量の酸素ガスがこのガス流路２６ａ内を流通する。このようにして、ガス流路２６ａ内を流通する酸素ガスの流量が制御されることで、供給口２１ｃから外部に供給される酸素ガスの流量が、ゼロから所定流量の範囲内で制御される。
【００３６】
前記流量設定部２９は、下部が開口して外部部材２１の上部外周面を覆う蓋状に形成されるとともに、内周面に螺旋溝３０ａが形成され、外部部材２１の上側外周部に螺合した設定ダイヤル３０と、外部部材２１の上側内周部であり且つ設定ダイヤル３０から間隔を隔てた下方位置に上下方向に移動自在に設けられた円柱状の移動部材３３と、外部部材２１の上側内周部であり且つ設定ダイヤル３０と移動部材３３との間に配設され、移動部材３１を下方に付勢するばね体３５と、設定ダイヤル３０の内部側に外部部材２１の上端面と対向するように設けられ、下面に円周方向に沿って複数（本例では６個）の凹部３６ａを有する板状且つ環状の位置決め部材３６と、外部部材２１の収容穴２１ｅ内に上部が突出するように収容され、上下方向に移動自在に設けられる係合ピン３７と、収容穴２１ｅ内であり且つその底面と係合ピン３７の下端面との間に配置され、係合ピン３７を上方に付勢してその上端部を位置決め部材３６の下面に当接させるばね体３８とを備える。
【００３７】
前記設定ダイヤル３０の中央には、その内側に突出するようにねじ３１が設けられている。また、設定ダイヤル３０の上面には、流量制御弁２５による制御の下、供給口２１ｃから外部に供給される酸素ガスの流量を６段階で設定するためのしるし３２ａが表示された円板状の表示部材３２が取り付けられている。尚、しるし３２ａは、数字が大きくなるに従って外部に供給される酸素ガスの流量が大きくなることを示している。また、数字でないしるし３２ａは、外部に供給される酸素ガスの流量がゼロとなるときのしるし３２ａである。
【００３８】
前記移動部材３３は、下方に突出して前記流量制御弁２５の弁体２７の上端部に当接する当接部３３ａを下面中央部に備え、外周部にはＯリング３４が配設されている。また、移動部材３３の上面中央部には、上方に突出した突起３３ｂが形成されている。前記ばね体３５は、設定ダイヤル３０のねじ３１及び移動部材３３の突起３３ｂが内側に挿入されるように配置される。前記位置決め部材３６の凹部３６ａは、表示部材３２のしるし３２ａに対応するように形成されている。
【００３９】
この流量設定部２９では、設定ダイヤル３０を螺旋溝２１ｄ，３０ａに沿って回転させて上下動させることで、設定ダイヤル３０が下方に移動したときには、移動部材３３及びばね体３５が下方に移動して弁体２７がばね体２８の付勢力に抗して下方に移動し（図１参照）、設定ダイヤル３０が上方に移動したときには、弁体２７，移動部材３３及びばね体３５がばね体２８により付勢されて上方に移動する（図６参照）。このようにして弁体２７を上下動させ、その上下方向における位置を調整してガス流路２６ａの開度を調整することで、ガス流路２６ａ内を流通する酸素ガスの流量、即ち、供給口２１ｃから外部に供給される酸素ガスの流量を設定することができる。
【００４０】
尚、設定ダイヤル３０の回転方向の位置は、ばね体３８により上方に付勢された係合ピン３７が位置決め部材３６の凹部３６ａに嵌まることによって６段階に切り換えることができるようになっており、位置決め部材３６，係合ピン３７及びばね体３８は、設定ダイヤル３０をその回転方向の複数の位置に位置決めする位置決め機構として機能している。また、供給口２１ｃから外部に供給される酸素ガスの流量は、ノズル部２１ａの上面の位置合わせマーク２１ｆに合わせられた表示部材３２のしるし３２ａに対応する流量となっている。
【００４１】
前記酸素マスク６は、椀状に形成され、使用者の鼻及び口を覆うように構成されるもので、取付穴６ａを備えており、この取付穴６内には、外部部材２１のノズル部２１ａの先端部が外部側から内部側に突き出るように嵌め込まれるようになっている。
【００４２】
以上のように構成された本例の酸素吸入器１によれば、まず、ガス供給体２０に未使用の容器体１０を取り付けるべく、当該容器体１０の装着部材１９をガス供給体２０の装着部材２２に螺合させる。これにより、弁箱２６の開栓部２６ｂが逆止弁１２のボール１４に当接して、ボール１４がばね体１５の付勢力に抗して下方に移動し、ガス流路１３ａが開いて、このガス流路１３ａとガス流路２６ａとが連通した状態となる。
【００４３】
ついで、ガス供給体２０の流量設定部２９の設定ダイヤル３０を回し、流量制御弁２５による制御の下、供給口２１ｃから外部に供給される酸素ガスの流量を設定して、例えば、供給口２１ｃから供給される酸素ガスをゼロの状態から所望の流量にすると、設定ダイヤル３０が上昇して移動部材３３，ばね体３５及び弁体２７がばね体２８により付勢されて上方に移動する。これにより、ガス流路２６ａが開き、その開度に応じた流量の酸素ガスが、容器本体１１の内部からガス流路１３ａ，ガス流路２６ａ，円筒部材２３の内周部２３ｂ，外部部材２１の内周部２１ｇ，ガス流路２１ｂ内を順次流通して供給口２１ｃから外部（酸素マスク６内）に供給され、使用者は、酸素マスク６内に供給された酸素ガスを吸入することで、酸素を摂取することができる。
【００４４】
そして、当該酸素吸入器１を所定時間使用し、酸素ガスの吸入を止めるときには、ガス供給体２０の流量設定部２９の設定ダイヤル３０を回し、流量制御弁２５による制御の下、供給口２１ｃから外部に供給される酸素ガスの流量を設定して、例えば、外部に供給される酸素ガスをゼロの状態に戻すと、設定ダイヤル３０が下降して移動部材３３，ばね体３５及び弁体２７がばね体２８の付勢力に抗して下方に移動し、ガス流路２６ａが弁体２７により閉じられて、容器本体１１の内部の酸素ガスが供給口２１ｃから酸素マスク６内に供給されなくなる。
【００４５】
尚、容器本体１１の内部に充填された酸素ガスを使い切ると、ガス供給体２０に装着された容器体１０を未使用のものと交換して当該酸素吸入器１を使用する。また、使用後の容器体１０は、環境保護やコストの観点などから、当該酸素吸入器１の供給者側や使用者側で容器本体１１の内部に酸素ガスを再充填し、再使用することが望ましい。
【００４６】
このように、本発明に係る酸素吸入器１によれば、容器本体１１の上端開口部１１ａを逆止弁１２によって閉塞するようにしたので、大掛かりな設備などが無くても容器本体１１の内部に酸素ガスを簡単に充填（再充填を含む）することができる。また、容器体１０を雑に扱ったとしても逆止弁１２が損傷することはなく、容器本体１１の内部の酸素ガスが外部に漏れることはない。
【００４７】
また、設定ダイヤル３０を回転させてねじ込み量を変化させ、当該設定ダイヤル３０の上下方向における位置を変化させることで、この設定ダイヤル３０の上下方向における位置と連動させて弁体２７の上下方向における位置を変化させ、ガス流路２６ａの開度を変化させることができ、また、設定ダイヤル３０が位置決め部材３６，係合ピン３７及びばね体３８により位置決めされた位置に応じて弁体２７の上下方向における位置が決まっているので、供給口２１ｃから酸素マスク６内に供給される酸素ガスの流量を簡単に切り換えて調整することができる。
【００４８】
以上、本発明の一実施形態について説明したが、本発明の採り得る具体的な態様は、何らこれに限定されるものではない。
【００４９】
上例では、前記酸素供給装置５に酸素マスク６を取り付けて酸素吸入器１を構成したが、この酸素供給装置５には酸素マスク６以外のものを接続するようにしても良い。また、酸素ガスを外部に供給するためのノズル部２１ａや供給口２１ｃの形状などは、ガス供給体２０によって当該酸素ガスを供給する部材の形状などに応じて適宜設定することができる。また、設定ダイヤル３０を位置決めするための位置決め部材３６，係合ピン３７及びばね体３８の構成や、設定ダイヤル３０の上下動と連動させて弁体２７を上下動させる構成は、上例のものに限定されるものではない。
【図面の簡単な説明】
【００５０】
【図１】本発明の一実施形態に係る酸素吸入器の概略構成を示した断面図である。
【図２】図１における矢示Ａ方向の側面図である。
【図３】図１における矢示Ｂ方向の平面図である。
【図４】図１における矢示Ｃ−Ｃ方向の断面図である。
【図５】本実施形態に係る容器体の概略構成を示した断面図である。
【図６】本実施形態に係る流量制御弁が開いた状態を示す断面図である。
【符号の説明】
【００５１】
１      酸素吸入器
５      酸素供給装置
６      酸素マスク
１０    容器体
１１    容器本体
１２    逆止弁
１３    弁箱
１３ａ  ガス流路
１４    ボール
１５    ばね体
１６    ガスケット
１７    Ｏリング
１８    円筒部材
１９    装着部材
２０    ガス供給体
２１    外部部材
２１ａ  ノズル部
２１ｂ  ガス流路
２１ｃ  供給口
２２    装着部材
２３    円筒部材
２４    シール部材
２５    流量制御弁
２６    弁箱
２６ａ  ガス流路
２６ｂ  開栓部
２７    弁体
２８    ばね体
２９    流量設定部
３０    設定ダイヤル
３１    ねじ
３２    表示部材
３３    移動部材
３４    Ｏリング
３５    ばね体
３６    位置決め部材
３７    係合ピン
３８    ばね体
【図１】
2008157363.tif 000003
【図２】
2008157363.tif 000004
【図３】
2008157363.tif 000005
【図４】
2008157363.tif 000006
【図５】
2008157363.tif 000007
【図６】
2008157363.tif 000008